(57)【要約】【課題】  戸の通過時に取手や錠の戸先側先端部に身体が直接接触することを防ぐための戸用緩衝体、戸用取手、戸用錠及び戸を提供する。【解決手段】  戸本体１０１と、取手２０及び錠３０とを備える戸１００に取り付けるものであって、戸本体１０１に固定する固定部１と、固定部１から立設して取手２０及び錠３０の戸先側に位置する起立片２とを有しており、起立片２が弾性部材からなる。そして、正面視して、起立片２が取手２０及び錠３０の戸先側先端部を覆っている。【選択図】      図１
2011026888.tif 000002
【特許請求の範囲】
【請求項１】
戸本体と、取手及び／又は錠とを備える戸に取り付けるものであって、戸本体に固定する固定部と、固定部から立設して取手及び／又は錠の戸先側に位置する起立片とを有しており、起立片が弾性部材からなることを特徴とする戸用緩衝体。
【請求項２】
正面視して、起立片が取手及び／又は錠の戸先側先端部を覆っていることを特徴とする請求項１記載の戸用緩衝体。
【請求項３】
請求項１又は２記載の戸用緩衝体を備えることを特徴とする戸用取手。
【請求項４】
請求項１又は２記載の戸用緩衝体を備えることを特徴とする戸用錠。
【請求項５】
請求項３記載の戸用取手及び／又は請求項４記載の戸用錠を備えることを特徴とする戸。
【発明の詳細な説明】
【技術分野】
【０００１】
本発明は、戸の取手や錠に取り付ける戸用緩衝体、この戸用緩衝体を備える戸用取手や戸用錠、及びこの戸用取手や戸用錠を備える戸に関する。
【背景技術】
【０００２】
ドアや引戸等の戸の通過時に、取手や錠等の突起部が身体に接触することがある。特に年配者や子供の場合、身体能力の衰えや腕力の不足によって通過に十分な開口幅を確保できず、戸に挟まれたり衝突したりする可能性が高い。また、取手や錠等の突起部は子供の目線の高さに位置しており、子供にとっては危険性が高い。そこで、取手や錠に何らかの対策を施すことが必要であるが、従来、特許文献１及び２に示すように、ドアハンドルの揺動側先端部分に隣接して突起を形成する器具を設置したものがあった。
【先行技術文献】
【特許文献】
【０００３】
【特許文献１】実用新案登録第３１３４１２３号公報
【特許文献２】実用新案登録第３１２９０５８号公報
【発明の概要】
【発明が解決しようとする課題】
【０００４】
しかしながら、特許文献１及び２の発明は、主にドアハンドルの先端（吊元側）に衣服等が引っかからないようにするためのものであるが、戸の通過時にはむしろ取手や錠の戸先側先端部に衝突する可能性が高いにもかかわらず、その点については対策されていなかった。
【０００５】
本発明は、上記事情を鑑みたものであり、戸の通過時に取手や錠の戸先側先端部に身体が直接接触することを防ぐための戸用緩衝体、戸用取手、戸用錠及び戸を提供することを目的とする。
【課題を解決するための手段】
【０００６】
本発明のうち請求項１の発明は、戸本体と、取手及び／又は錠とを備える戸に取り付けるものであって、戸本体に固定する固定部と、固定部から立設して取手及び／又は錠の戸先側に位置する起立片とを有しており、起立片が弾性部材からなることを特徴とする。なお、本発明における戸とは、ドアと引戸の両方を含むものである。
【０００７】
本発明のうち請求項２の発明は、正面視して、起立片が取手及び／又は錠の戸先側先端部を覆っていることを特徴とする。なお、起立片が取手及び／又は錠の戸先側先端部を覆うとは、起立片が取手や錠に向けて傾斜し、又は湾曲若しくは屈曲していることにより、正面視した際に起立片が取手及び／又は錠に重なっているが、重なっている範囲が取手及び／又は錠の見付方向中心より戸先側に限られていることをいう。戸先側のみを覆うこととしたのは、取手や錠の戸先側先端部に身体が直接接触することを防ぐという目的のためにはそれで十分だからであり、またそれ以上覆うと取手や錠の操作の妨げとなってしまうからである。
【０００８】
本発明のうち請求項３の発明は、請求項１又は２記載の戸用緩衝体を備えることを特徴とする。
【０００９】
本発明のうち請求項４の発明は、請求項１又は２記載の戸用緩衝体を備えることを特徴とする。
【００１０】
本発明のうち請求項５の発明は、請求項３記載の戸用取手及び／又は請求項４記載の戸用錠を備えることを特徴とする。
【発明の効果】
【００１１】
本発明によれば、戸が身体に衝突する場合でも、起立片が弾性変形することによって衝撃が吸収され、また身体に接触するのは起立片の面であるから、取手や錠の突起部が接触する場合に比べて身体が感じる衝撃は和らげられるので、安全に戸を通過することができる。特に、請求項２の発明のように起立片が取手及び／又は錠の戸先側先端部を覆うようにすれば、最も身体に接触する可能性が高い部位が覆い隠されるので、より安全性が高い。また、請求項１又は２の戸用緩衝体は、既存の戸に後付けすることが可能で、様々な形状の取手や錠に取り付けられる汎用性があり、請求項３の戸用取手及び請求項４の戸用錠は、様々な形状の戸本体に取り付けられる。
【図面の簡単な説明】
【００１２】
【図１】（ａ）は本発明の緩衝体を備える戸の説明図（図２のＡ−Ａ線断面図）、（ｂ）は錠の説明図（Ｂ−Ｂ線断面図）、（ｃ）は取手の説明図（Ｃ−Ｃ線断面図）である。
【図２】戸の正面図である。
【図３】緩衝体の詳細図である。
【図４】人が戸に衝突した場合の説明図である。
【図５】緩衝体及び緩衝体を備える取手の他の実施例の説明図である。
【発明を実施するための形態】
【００１３】
以下、本発明の実施の形態を図面に基づいて説明する。なお、以下の実施例はドアの場合のものであるが、引戸の場合であっても同様である。この戸１００は、図１（ａ）及び図２に示すように、戸本体１０１と、取手２０及び錠３０と、緩衝体１０とを備える。緩衝体１０は、図３に示すように、長方形平板状の固定部１と、固定部１の一方の長辺から立設する起立片２とを備え、起立片２は他方の長辺へ向けて湾曲している。また、固定部１は上面視して起立片２が延びる側に凸になるように弓形に反っており、さらに固定部１には取手２０部分に取り付けるための取付孔３ａ及び錠３０部分に取り付けるための取付孔３ｂを形成してある。このような緩衝体１０を戸本体１０１に取り付ける際には、固定部１を戸本体１０１に当接させ、取付孔３ａ，３ｂを通して取手２０及び錠３０を戸本体１０１に取り付けることで、戸本体１０１と、取手２０及び錠３０とで固定部１を挟み込んで固定する。この際、反った固定部１を取手２０及び錠３０により押さえ込むことで固定部１が戸本体１０１に密接し、また起立片２が取手２０及び錠３０の戸先側に位置するようにすることで、湾曲した起立片２が取手２０及び錠３０の戸先側先端部を覆う（図１（ｂ）、（ｃ））。なお、緩衝体１０は、固定部１及び起立片２がシリコン樹脂により一体成形されており、弾性を有する。
【００１４】
このように構成した本発明の戸によれば、図４に示すように、戸１００が身体Ｂに衝突する場合でも、緩衝体１０の起立片２が弾性変形することによって衝撃が吸収され、また身体Ｂに接触するのは起立片２の面であるから、取手２０や錠３０の突起部が接触する場合に比べて身体Ｂが感じる衝撃は和らげられる。
【００１５】
また、この緩衝体１０は、図５（ａ）〜（ｃ）に示すように、様々な形状の取手２０に取り付けることができる。さらに、緩衝体１０の形状は、起立片２が湾曲しているものに限られず、起立片２が、固定部１に対して垂直に延びているもの（図５（ａ））、取手２０に向けて傾斜しているもの（図５（ｂ））、固定部１に対して垂直に延び途中で屈曲して取手２０に向けて延びているもの（図５（ｃ））等でもよい。
【００１６】
本発明は、上記の実施形態に限定されない。緩衝体の固定部及び起立片の形状は、同様の効果を奏するものである限り、意匠性等も考慮して自由に設定できる。また、固定部に形成した取付孔は、取手や錠の形状に合わせて変形し得る。さらに、固定部と起立片とは別部材からなるものであってもよく、また起立片は、弾性部材からなるものであればよく、シリコン樹脂のほか、種々のゴムやビニール樹脂等からなるものであってもよい。また、緩衝体は戸の室内側と室外側の何れに取り付けてもよく、もちろん両側に取り付けてもよい。なお、本発明の戸用緩衝体は、既存の戸に後付けすることが可能で、様々な形状の取手や錠に取り付けられる汎用性があり、また本発明の戸用取手及び戸用錠は、様々な形状の戸本体に取り付けられる。
【符号の説明】
【００１７】
１  固定部
２  起立片
１０  緩衝体
２０  取手
３０  錠
１００  戸
１０１  戸本体
【図１】
2011026888.tif 000003
【図２】
2011026888.tif 000004
【図３】
2011026888.tif 000005
【図４】
2011026888.tif 000006
【図５】
2011026888.tif 000007